(57)【要約】【課題】フロントサイドウインドウに雨滴が付着等していても、車両側面と障害物との離間距離を容易に検知することができる車両側方障害物検知装置を提供する。【解決手段】車両のドアミラーに取り付けられ、超音波を発信するとともに、障害物での前記超音波の反射波を受信して、車両側面から障害物までの離間距離を検知す超音波センサ１２と、車両室内に設けられ離間距離を表示するための表示部２３と、超音波センサ１２で検知した離間距離のデータを取り込んで表示部２３に表示させる制御部２２とを備えた。【選択図】図３
2013159154.tif 000002
【特許請求の範囲】
【請求項１】
車両のドアミラーに取り付けられ、超音波を発信するとともに、障害物での前記超音波の反射波を受信して、前記車両の側面から前記障害物までの離間距離を検知する超音波センサと、
前記車両の室内に設けられ前記離間距離を表示するための表示部と、
前記超音波センサで検知した離間距離のデータを取り込んで、前記表示部に表示させる制御部と、
を備えたことを特徴とする車両側方障害物検知装置。
【請求項２】
車両のドアミラーに取り付けられ、超音波を発信するとともに、障害物での前記超音波の反射波を受信して、前記車両の側面から前記障害物までの離間距離を検知する超音波センサと、
前記ドアミラーの展開・格納を検知するドアミラー回度センサと、
前記ドアミラー回度センサが前記ドアミラーの展開を検知したときは、超音波がドアミラー本体に沿って略平行方向に発信されるよう前記超音波センサの向きを調整し、前記ドアミラー回度センサが前記ドアミラーの格納を検知したときは、超音波がドアミラー本体に対して直角方向に発信されるよう前記超音波センサの向きを調整するコントローラと、
前記車両の室内に設けられ前記離間距離を表示するための表示部と、
前記超音波センサで検知した離間距離のデータを取り込んで、前記表示部に表示させる制御部と、
を備えたことを特徴とする車両側方障害物検知装置。
【請求項３】
前記表示部は複数のＬＥＤを有するとともに、前記表示部には、前記各ＬＥＤの横方に前記離間距離を示すための数値が昇順または降順に記され、
前記制御部は、前記複数のＬＥＤのうち、前記超音波センサで検知した離間距離のデータに対応したＬＥＤを選択し点灯させることを特徴とする請求項１又は２に記載の車両側方障害物検知装置。
【請求項４】
前記表示部は、助手席前方、運転席前方、及び助手席と運転席間の前方のいずれかの位置に設けられていることを特徴とする請求項１〜３のいずれか一項に記載の車両側方障害物検知装置。
【請求項５】
前記表示部として音声発生装置が設けられ、前記音声発生装置は前記離間距離のデータを音声で知らせることを特徴とする請求項１，２又は４に記載の車両側方障害物検知装置。
【発明の詳細な説明】
【技術分野】
【０００１】
本発明は車両側方障害物検知装置に係り、特に、車両側方から障害物までの距離を検知するのに好適な車両側方障害物検知装置に関する。
【背景技術】
【０００２】
従来より、ドアミラーの先端部に超音波センサを設け、この超音波センサから車両側方に向かって超音波を発信するとともに、車両側方に障害物がある場合は、この障害物での超音波の反射波を超音波センサで受信することにより、車両側面と障害物との離間距離を算出して表示する車両側方障害物検知装置が提案されている（たとえば、特許文献１参照）。
【先行技術文献】
【特許文献】
【０００３】
【特許文献１】特開平９−２４０３９８号公報
【発明の概要】
【発明が解決しようとする課題】
【０００４】
しかしながら、上記特許文献１の車両側方障害物検知装置では、車両の側面と障害物との離間距離を表示する表示部がドアミラーに設けられているので、雨天の場合等に表示部が確認し難いという問題がある。すなわち、ドアミラーは車室外に設けられており、雨天の場合はフロントサイドウインドウは閉められているので、フロントサイドウインドウに雨滴が付着すると、ドアミラー上の表示部を確認するのが非常に難しくなる。また、フロントサイドウインドウが汚れている場合も、同様にドアミラー上の表示部を確認するのが難しい。
【０００５】
また、狭い場所に駐車する場合にドアミラーを格納しなければならないが、上記特許文献１の車両側方障害物検知装置では、ドアミラーを格納すると、超音波センサの向きが車両後方へ向いてしまい、車両の側面と障害物との離間距離を検知することができなくなるという問題もある。
【０００６】
本発明の第１の課題は、フロントサイドウインドウに雨滴が付着したり、フロントサイドウインドウが汚れていたりしても、車両側面と障害物との離間距離を容易に検知することができる車両側方障害物検知装置を提供することにある。
【０００７】
また、本発明の第２の課題は、ドアミラーを格納した場合にも、車両側面と障害物との離間距離を容易に検知することができる車両側方障害物検知装置を提供することにある。
【課題を解決するための手段】
【０００８】
上記第１の課題を解決するために、請求項１に記載の発明は、車両のドアミラーに取り付けられ、超音波を発信するとともに、障害物での前記超音波の反射波を受信して、前記車両の側面から前記障害物までの離間距離を検知する超音波センサと、前記車両の室内に設けられ前記離間距離を表示するための表示部と、前記超音波センサで検知した離間距離のデータを取り込んで、前記表示部に表示させる制御部と、を備えたことを特徴とする。
【０００９】
上記構成によれば、表示部が車両の室内に設けられているので、フロントサイドウインドウに雨滴が付着していたり、フロントサイドウインドウが汚れていたりしても、表示部に表示された離間距離のデータを容易に確認することができる。
【００１０】
また、上記第２の課題を解決するために、請求項２に記載の発明は、車両のドアミラーに取り付けられ、超音波を発信するとともに、障害物での前記超音波の反射波を受信して、前記車両の側面から前記障害物までの離間距離を検知する超音波センサと、前記ドアミラーの展開・格納を検知するドアミラー回度センサと、前記ドアミラー回度センサが前記ドアミラーの展開を検知したときは、超音波がドアミラー本体に沿って略平行方向に発信されるよう前記超音波センサの向きを調整し、前記ドアミラー回度センサが前記ドアミラーの格納を検知したときは、超音波がドアミラー本体に対して直角方向に発信されるよう前記超音波センサの向きを調整するコントローラと、前記車両の室内に設けられ前記離間距離を表示するための表示部と、前記超音波センサで検知した離間距離のデータを取り込んで、前記表示部に表示させる制御部と、を備えたことを特徴とする。
【００１１】
上記構成によれば、狭い場所に駐車する際にドアミラーを格納すると、その格納動作に伴って、超音波がドアミラー本体に対して直角方向に発信されるよう超音波センサの向きが調整され、車両側面と障害物との離間距離を容易に検知することができる。
【００１２】
また、請求項３に記載の発明は、請求項１又は２において、前記表示部は複数のＬＥＤを有するとともに、前記表示部には、前記各ＬＥＤの横方に前記離間距離を示すための数値が昇順または降順に記され、前記制御部は、前記複数のＬＥＤのうち、前記超音波センサで検知した離間距離のデータに対応したＬＥＤを選択し点灯させることを特徴とする。
【００１３】
上記構成によれば、ドライバは、車両側面と障害物との離間距離がサイドミラーだけでは確認不可能な場合でも、ＬＥＤの点灯の様子を確認することにより、前記離間距離を視覚的に認識することができる。
【００１４】
請求項４に記載の発明は、請求項１〜３のいずれか一項において、前記表示部は、助手席前方、運転席前方、及び助手席と運転席間の前方のいずれかの位置に設けられていることを特徴とする。
【００１５】
上記構成によれば、ドライバは、視点をあまり移動させることなく、ＬＥＤの点灯の様子を確認することができる。
【００１６】
請求項５に記載の発明は、請求項１，２又は４において、前記表示部として音声発生装置が設けられ、前記音声発生装置は前記離間距離のデータを音声で知らせることを特徴とする。
【００１７】
上記構成によれば、ドライバは、車両側面と障害物との離間距離がサイドミラーだけでは確認不可能な場合でも、音声発生装置から発せられる音声に耳を傾けることにより、前記離間距離を聴覚的に認識することができる。
【発明の効果】
【００１８】
本発明によれば、フロントサイドウインドウに雨滴が付着したり、フロントサイドウインドウが汚れていたりしても、車両側面と障害物との離間距離を容易に検知することができる。
【００１９】
また、本発明によれば、ドアミラーを格納した場合にも、車両側面と障害物との離間距離を容易に検知することができる。
【図面の簡単な説明】
【００２０】
【図１】実施例１による車両側方障害物検知装置のうち、ドアミラーの部分の構成を示す図である。
【図２】車両側方障害物検知装置によって車両側方の障害物を検知する様子を示す図である。
【図３】車両側方障害物検知装置の概略構成図である。
【図４】表示部が助手席側のフロントピラーに設けられた様子を示す図である。
【図５】表示部が運転席側のフロントピラーに設けられた様子を示す図である。
【図６】表示部が運転席側と助手席側の中間部に設けられた様子を示す図である。
【図７】実施例２による車両側方障害物検知装置の概略構成図である。
【発明を実施するための形態】
【００２１】
以下、本発明の実施例を図面に従って説明する。
【実施例】
【００２２】
《実施例１》
図１は、実施例１による車両側方障害物検知装置のうち、車両左側のドアミラーの部分の構成を示している。車両左側のドアミラー１１Ｌには超音波センサ１２が設けられている。この超音波センサ１２はドアミラーハウジング１３に内蔵され、超音波発信面１２Ａが車両左側斜め下方に向くよう配設されている。
【００２３】
超音波センサ１２にはワイヤハーネス１４の一端が接続され、このワイヤハーネス１４の他端は、ドアミラー１１Ｌを支持するベース１５を介して、図示していない車両室内へ配索されている。なお、符号１６はドアミラーハウジング１３に取り付けられたドアミラー本体である。
【００２４】
図２は、車両側方障害物検知装置によって車両側方の障害物を検知している様子を示す図である。図２に示すように、車両２０の左側のサイドドア（図示省略）にはドアミラー１１Ｌが取り付けられ、このドアミラー１１Ｌの先端部には、図１に示したように、超音波センサ１２が取り付けられている。超音波センサ１２から発信される超音波Ｐは、図２に示すように、車両２０の左側面のうち超音波センサ１２から斜め下方に向かう線Ｌ１と、超音波センサ１２から略真下に向かう線Ｌ２とで囲まれた範囲内に照射される。
【００２５】
そして例えば、車両２０の左側面の近傍に障害物２１が存在していると、超音波センサ１２から発信された超音波Ｐは障害物２１で反射し、その反射波は超音波センサ１２で受信される。超音波センサ１２は、超音波Ｐの発信と反射波の受信の時間差から車両２０の左側面と障害物２１との離間距離Ｇを算出し、その算出結果をワイヤハーネス１４を介して、車両２０の室内に設けられた制御部２２（図３参照）に送信する。
【００２６】
なお、超音波センサ１２を車両右側のドアミラー１１Ｒにも設けることができるが、右ハンドル車の場合、車両２０の右側面はドライバが容易に確認できるので、コスト低減の目的で、本実施例では、車両左側のドアミラー１１Ｌだけに超音波センサ１２が設けられている。
【００２７】
図３は、本実施例に係る車両側方障害物検知装置の概略構成を示している。超音波センサ１２は、ワイヤハーネス１４（図１参照）を介して制御部２２に接続され、制御部２２は表示部２３に接続されている。表示部２３には４個のＬＥＤ２４〜２７が設けられ、これらＬＥＤ２４〜２７の右横方には、車両２０の左側面と障害物２１との離間距離Ｇを示す数値が記されている。すなわち、ＬＥＤ２４の右横方には０〜５ｃｍとの数値が、ＬＥＤ２５の右横方には５〜１０ｃｍとの数値が、ＬＥＤ２６の右横方には１０〜１５ｃｍとの数値が、ＬＥＤ２７の右横方には１５ｃｍ以上との数値が各々記されている。なお、本実施例においては、制御部２２は表示部２３の裏側に組み込まれた構成となっている。
【００２８】
図４〜図６は、車室内のうち、表示部２３が配置される場所を示している。図４においては、表示部２３が助手席側のフロントピラー２８の内側に配置されている。図５においては、表示部２３が運転席側のフロントピラー２９の内側に配置されている。図６においては、表示部２３が運転席と助手席の中間前方のインストルメントパネル３０上に配置されている。
【００２９】
図４の場合は、車両左側のドアミラー１１Ｌを見ながら、視線をあまり移動させることなく表示部２３の表示内容を視認することができるが、ドライバから表示部２３までの距離が遠いので、車両２０の左側面と障害物２１との離間距離Ｇを示す数値を確認しにくい。
【００３０】
逆に、図５の場合は、車両左側のドアミラー１１Ｌを見ながら、表示部２３の表示内容を視認しなければならず、視線を大きく移動させる必要があるが、ドライバから表示部２３までの距離が近く、車両２０の左側面と障害物２１との離間距離Ｇを示す数値を確認し易い。
【００３１】
図６の場合は、視線をあまり移動させることなく、かつドライバから表示部２３までの距離が近く、車両２０の左側面と障害物２１との離間距離Ｇを示す数値を確認し易い。
【００３２】
次に、本実施例における車両側方障害物検知装置の作用について説明する。
【００３３】
図２に示すように、車両２０の左側面に障害物２１が存在する場合、超音波センサ１２から発信された超音波Ｐは障害物２１で反射し、その反射波を超音波センサ１２で受信する。超音波センサ１２は、反射波を受信すると、超音波Ｐの発信と反射波の受信の時間差から車両２０の左側面と障害物２１との離間距離Ｇを算出し、図３に示すように、算出結果を受信信号Ｓ１として制御部２２へ送信する。この場合、受信信号Ｓ１は、ワイヤハーネス１４（図１参照）を介して制御部２２（図３参照）に送信される。
【００３４】
制御部２２は、受信信号Ｓ１を受信すると、その受信信号Ｓ１から車両２０の左側面と障害物２１との離間距離Ｇを認識するとともに、表示部２３上のＬＥＤ２４〜２７のうち、離間距離Ｇのデータに応じたＬＥＤを選択して点灯させる。例えば、離間距離Ｇのデータが８ｃｍを示していれば、図３に示すように、数値５〜１０ｃｍに対応するＬＥＤ２５を点灯させる。
【００３５】
本実施例によれば、表示部２３が車両２０の室内に設けられているので、従来例に比べて表示部２３とドライバとの距離が近くなり、ドライバは表示部２３の点灯状況を容易に視認することができる。またフロントサイドガラスを通しての視認ではないので、表示部２３の点灯状況をより一層容易に視認することができる。
【００３６】
また、表示部２３において、車両２０の左側面と障害物２１との離間距離を示す際に、離間距離に応じてＬＥＤの点灯個数を変えたり、ＬＥＤ点灯時の色を変えたりする表示方法があるが、このようにすると、ＬＥＤの点灯個数毎の離間距離や、ＬＥＤの点灯色毎の離間距離を知らない場合、ドライバは離間距離を認識することができない。
【００３７】
ところが、本実施例においては、車両２０の左側面と障害物２１との離間距離Ｇを示す数値がＬＥＤ２４〜２７に対応させて記されているので、誰でも離間距離Ｇを正確に認識することができる。
【００３８】
《実施例２》
図７は、実施例２による車両側方障害物検知装置の概略構成を示している。本実施例では、図３の構成に加えて、ドアミラー回度センサ３１とコントローラ３２が設けられている。
【００３９】
ドアミラー回度センサ３１はドアミラー１１Ｌ（図２参照）の展開・格納を検知し、その検知信号Ｓ２をコントローラ３２へ送信する。コントローラ３２は、ドアミラー回度センサ３１がドアミラー１１Ｌの展開を検知したときは、超音波がドアミラー本体１６に沿って平行方向に発信されるよう超音波センサ１２の向きを調整し、ドアミラー回度センサ３１がドアミラー１１Ｌの格納を検知したときは、超音波がドアミラー本体１６に対して直角方向に発信されるよう超音波センサ１２の向きを調整する。なお、コントローラ３２は、制御部２２からの制御信号Ｓ３により、超音波センサ１２に対する上記調整動作を行う。
【００４０】
上記構成においては、上述したように、ドアミラー１１Ｌを格納すると、そのことをドアミラー回度センサ３１が検知して、ドアミラー本体１６に対して直角方向に超音波が発信されるよう超音波センサ１２の向きを調整する。
【００４１】
したがって、本実施例によれば、狭い場所に駐車する場合等にドアミラー１１Ｌを格納しても、車両２０の左側面と障害物２１との離間距離Ｇを容易に確認することができる。そのため、駐車を容易かつ迅速に行うことが可能となる。
【００４２】
なお、本実施例では、超音波センサ１２の向きを調整するようにしたが、超音波センサ１２の向きは調整せずに、ドアミラー展開時における超音波センサ１２の位置と、ドアミラー格納時における超音波センサ１２の位置との差分だけ、ソフト上に補正するようにしても良い。
【００４３】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００４４】
例えば、表示部２３上のＬＥＤ２４〜２７の各々を点灯させる代わりに、点滅させても良い。
【００４５】
また、表示部２３において、ＬＥＤ２４〜２７の代わりに音声発生装置を設け、車両２０の左側面と障害物２１との離間距離Ｇを、音声発生装置から音声でドライバに知らせるようにしても良い。
【符号の説明】
【００４６】
１１Ｌ，１１Ｒ  ドアミラー
１２  超音波センサ
１３  ドアミラーハウジング
１４  ワイヤハーネス
１５  ベース
１６  ドアミラー本体
２０  車両
２１  障害物
２２  制御部
２３  表示部
２４〜２７  ＬＥＤ
２８  助手席側のフロントピラー
２９  運転席側のフロントピラー
３０  インストルメントパネル
３１  ドアミラー回度センサ
３２  コントローラ
【図１】
2013159154.tif 000003
【図２】
2013159154.tif 000004
【図３】
2013159154.tif 000005
【図４】
2013159154.tif 000006
【図５】
2013159154.tif 000007
【図６】
2013159154.tif 000008
【図７】
2013159154.tif 000009